(57)【要約】【課題】水を無駄に流すことなく、かつ手間が無く、凍結防止が可能な給湯装置を提供する。【解決手段】浴槽の側壁に取り付けられたアダプタを介して浴槽へのお湯張りを行う給湯装置であって、前記給湯装置は、リモコンに凍結防止スイッチを備えるとともに、前記給湯装置が設置されている雰囲気の温度を検出する外気温度検出手段又は、前記給湯装置へ供給される水の温度を検出する入水温度検出手段を備え、前記凍結防止スイッチの操作により、前記外気温度検出手段又は、前記入水温度検出手段の検出値が予め決められた所定値以下となったとき、予め決められた所定の流量の水を、前記アダプタより浴槽へ供給する凍結防止手段を備えた。【選択図】  図２
2004183993.tif 000002
【特許請求の範囲】
【請求項１】
浴槽の側壁に取り付けられたアダプタを介して浴槽へのお湯張りを行う給湯装置であって、前記給湯装置は、リモコンに凍結防止スイッチを備えるとともに、前記給湯装置が設置されている雰囲気の温度を検出する外気温度検出手段又は、前記給湯装置へ供給される水の温度を検出する入水温度検出手段を備え、前記凍結防止スイッチの操作により、前記外気温度検出手段又は、前記入水温度検出手段の検出値が予め決められた所定値以下となったとき、予め決められた所定の流量の水を、前記アダプタより浴槽へ供給する凍結防止手段を備えたことを特徴とする給湯装置。
【発明の詳細な説明】
【０００１】
【発明の属する技術分野】
本発明は、浴槽の側壁に取り付けられたアダプタを介して浴槽へのお湯張りを行う給湯装置に関するものである。
【０００２】
【従来の技術】
従来の給湯装置においては、給湯装置にヒーターを内蔵し加熱するという手段がとられているが、厳しい冷え込みに遭遇した場合には、配管が凍結して使用出来なくなることがある。
そのため、厳しい冷え込みが予想されるときは、リモコンに備えられた凍結予防スイッチを入れ、給湯栓を開放しておけば、水温や気温が所定の温度以下になったとき、所定の流量の水を給湯栓から排水させ、水温や気温が所定温度以上になったとき、給湯栓からの排水を停止させることにより凍結を防止する給湯装置が提案されている（例えば、特許文献１、２を参照。）。
また、節水のため、微小流量検出手段を用いて給湯栓から排水させる流量を最小流量とする凍結防止装置も提案されている（例えば、特許文献３を参照。）。
【０００３】
【特許文献１】
特開２００２−１８８８１８号公報（第３―４頁）
【特許文献２】
特開平１０−１２１５２６号公報（第５―７頁、図４）
【特許文献３】
特開平１０−１２２６６３号公報（第７―８頁）
【０００４】
【発明が解決しようとする課題】
ところが、従来の給湯装置の凍結防止方法では、水温や気温で給湯栓からの排出を制御したり、排出される流量を出来るだけ最小にするようにしても、なお、給湯栓から排出される水は垂れ流しとなるので、水が無駄になるという問題があった。
なお、水の無駄を避けるために、給湯栓の下にバケツ等を置いて、再利用することが考えられるが、面倒であるという問題がある。
あるいは、浴槽の給湯栓を開いて、浴槽に溜めることも考えられるが、給湯栓の開け閉めの手間がかかるという問題は残る。
本発明は、上記課題を解決するためになされたもので、本発明の目的は、水を無駄に流すことなく、かつ手間が無く、凍結防止が可能な給湯装置を提供することにある。
【０００５】
【課題を解決するための手段及びその作用・効果】
上記目的を達成するために請求項１は、浴槽の側壁に取り付けられたアダプタを介して浴槽へのお湯張りを行う給湯装置であって、前記給湯装置は、リモコンに凍結防止スイッチを備えるとともに、前記給湯装置が設置されている雰囲気の温度を検出する外気温度検出手段又は、前記給湯装置へ供給される水の温度を検出する入水温度検出手段を備え、前記凍結防止スイッチの操作により、前記外気温度検出手段又は、前記入水温度検出手段の検出値が予め決められた所定値以下となったとき、予め決められた所定の流量の水を、前記アダプタより浴槽へ供給する凍結防止手段を備えたので、雰囲気温度や水温が低くなると、浴槽の壁面に取り付けられたアダプタから所定の流量の水が排出されることとなり、給湯栓を開け閉めすることなく、浴槽に水を溜めることが出来て、水を無駄にすることなく、かつ手間が無く、凍結防止が可能となる。
【０００６】
【発明の実施の形態】
以下、本発明の実施の形態を、図面により詳細に説明する。
図１は、本発明の一実施形態に係るガス給湯機を示したブロック図である。
上記ガス給湯機は、図示のように、給湯機本体１、給水源から給湯機本体１に水を供給するための給水管３、及び給湯機本体１内の熱交換器７で加熱された水を給湯栓１１に供給するための給湯管５で構成されている。更に、給湯機本体１内の給水管３から分岐し、熱交換器７を介さずに給湯管５に接続されるバイパス管４３が備えられ、バイパス管４３と給湯管５の合流部には、熱交換器７で加熱された湯と、バイパス管４３から送られてきた水を指令パルスに基づき駆動するステッピングモータＭにより混合制御する混合弁４１が備えられている。
また、給水管３には、給水源からの水の温度Ｔｃを検出する入水温度センサ２５、及び水の流量Ｑを検出する水量センサ２７、給湯管５の混合弁４１よりも上流側には、熱交換器７の出口温度Ｔｈを検出する熱交換器出口温度センサ４５、混合弁４１よりも下流側には、混合された後の混合湯温Ｔｍを検出する混合湯温検出センサ２９、流量Ｑを制御するための水量バルブ６２が備えられている。
【０００７】
また、給湯機本体１内には、燃焼するのに必要な空気を供給するためのファン９をも備える。
更に、バーナ１３の上部には着火させる際に必要なイグナイタ１５、火炎の有無を検出するフレームロッド１７が設けられている。また、バーナ１３にガスを供給するためのガス供給管２３が設けられ、ガス供給管２３には供給するガス量を可変するための比例弁１９及びガスの供給を開始／停止するための電磁弁２１が備えられている。
【０００８】
更に、上記ガス給湯機は、水量バルブ６２よりも下流で給湯機本体１内の給湯管５から、追焚戻り管２に接続された湯張り管４を備え、湯張り管４には、湯張り管４を流れる流量Ｑｈを検出する風呂水量センサ８及び湯の供給を開始／停止するための温水電磁弁６が設けられている。
また、上記ガス給湯機には、給湯機本体１が設置されている雰囲気の温度を検出するための外気温度検出センサ６１が備えられている。
【０００９】
一方、追焚戻り管２及び追焚往き管５３は端部を浴槽１２内に取り付けられた循環アダプタ５５に接続され、中途には浴槽１２内の湯を循環させるための循環ポンプＰ、浴槽１２の水位を検出する水位センサ１０、浴槽１２内の湯温を検出する風呂温度センサ４９、追焚戻り管２を熱交換器７を介さずに熱交バイパス管１４を経由して追焚往き管５３へ連絡させることのできるモータＭ２で駆動される熱交三方弁５１を備える。
【００１０】
従って、熱交三方弁５１を熱交位置へ動かした場合は、追焚戻り管２→熱交換器７→追焚往き管５３とつながる第１循環経路を形成し、熱交三方弁５１をバイパス位置へ動かした場合は、追焚戻り管２→熱交バイパス管１４→追焚往き管５３とつながる第２循環経路を形成する構成となっている。
【００１１】
また、浴槽１２の底面には、浴槽１２内の湯を排水するための排水栓６０が備えられている。
また、リモコン３３には、運転スイッチ３５、給湯栓１１から供給される湯温の設定温度Ｔｓ、浴槽１２へ湯張りする湯温の風呂設定温度Ｔｆｓ等を設定する設定スイッチ３９、浴槽１２へ湯張りする際にオン操作する湯張りスイッチ３６、浴槽１２内の湯を加熱する際にオン操作する追焚スイッチ３８、凍結防止動作をさせるための凍結防止スイッチ３２、設定温度Ｔｓ、風呂設定温度Ｔｆｓ等を表示する表示部３７を備える。
【００１２】
上記ガス給湯機は更に、上記各センサ２５、２７、４５、２９および設定スイッチ３９等からの検出信号（Ｔｃ、Ｑ、Ｔｈ、Ｔｍ、Ｔｓ、Ｔｆｓ等）に基づき、比例弁１９、電磁弁２１、ファン９、混合弁４１等の制御を行う制御部３１をも備える。
また、制御部３１は排水栓６０の開閉動作を制御出来る。
【００１３】
ここで、リモコン３３に備えられた凍結防止スイッチ３２をオン操作すると、入水温度センサ２５の検出信号Ｔｃ、又は外気温度検出センサ６１の検出信号Ｔｇが予め決められた所定値以下になったとき、制御部３１が排水栓６０を閉めた後、温水電磁弁６を開き、給水管３→熱交換器７及びバイパス管４３→給湯管５→湯張り管４→追焚戻り管２及び追焚往き管５３（熱交三方弁５１はバイパス位置）→循環アダプタ５５の経路で浴槽１２へお湯張りが行われる。
なお、お湯張りの流量は予め決められた流量（凍結を防止するに足りる最小流量）とし、風呂水量センサ８の検出流量Ｑｈに基づき、水量バルブ６２により制御される。
そして、入水温度センサ２５の検出信号Ｔｃ、又は外気温度検出センサ６１の検出信号Ｔｇが予め決められた所定値を超えたとき、お湯張りを停止する。
このとき、お湯張りされた積算流量は制御部３１に記憶される。
なお、凍結防止スイッチ３２がオンになっているときは、流量Ｑｈに拘らず、バーナ１３は燃焼しない。
【００１４】
そして入浴の際、湯張りスイッチ３６を押すと、設定スイッチ３９で設定された湯張り量の設定値から、凍結防止動作によりお湯張りされた積算流量を差し引いた量のお湯張りを行い、設定温度Ｔｆｓまで追焚きを行う。
従って、入水温度センサ２５の検出信号Ｔｃ、又は外気温度検出センサ６１の検出信号Ｔｇが予め決められた所定値以下になったとき、循環アダプタ５５から所定の流量（凍結を防止するに足りる最小流量）の水が排出されることより、給湯栓１１を開け閉めする手間がなく、給湯機本体１の凍結を防止することが出来る。
更に、入浴の際には、浴槽１２内に溜まった水の量を差し引いてお湯張りするようにしたので、水を無駄にすることもない。
【００１５】
次に、図２のフローチャート図をもとに、詳細な凍結防止動作を説明する。
ステップＳ１で、凍結防止スイッチ３２がオン操作されたか否かを判断し、凍結防止スイッチ３２がオン操作されたと判断した場合は、入水温度センサ２５の検出信号Ｔｓを基に、水温が予め決められた所定の温度以下か否かを判断する（ステップＳ２）。
ステップＳ２で、水温が所定の温度以下であると判断すると、ステップＳ３で浴槽１２に備えられた排水栓６０を閉じて、ステップＳ４で温水電磁弁６を開いてお湯張りを行い、再度ステップＳ１へ戻る。
この時、お湯張りの流量は所定の流量（凍結を防止するに足りる最小流量）に制御される。
また、ステップＳ１で凍結防止スイッチ３２がオフの場合、ステップＳ２で水温が所定温度を超えたと判断した場合は、ステップＳ５で温水電磁弁６を閉じてお湯張りを停止し、ステップＳ１へ戻る。
なお、ここでは、入水温度センサ２５の検出信号Ｔｓをもとにしたが、外気温度検出センサ６１の検出信号Ｔｇをもとにしてもよい。
【００１６】
従って、雰囲気温度や水温が低くなると、浴槽の壁面に取り付けられたアダプタから所定の流量の水が排出されることとなり、給湯栓を開け閉めすることなく、浴槽に水を溜めることが出来て、水を無駄にすることなく、かつ手間が無く、凍結防止が可能となる。
【図面の簡単な説明】
【図１】本発明の一実施形態に係るガス給湯機を示したブロック図
【図２】本発明の一実施形態に係る動作例を示すフローチャート図
【符号の説明】
２…追焚戻り管
３…給水管
４…湯張り管
６…温水電磁弁
７…熱交換器
８…風呂水量センサ
１２…浴槽
１３…バーナ
２５…入水温度センサ
３１…制御部
３２…凍結防止スイッチ
３３…リモコン
３７…表示部
５３…追焚往き管
５５…循環アダプタ
６０…排水栓
６１…外気温度検出センサ
６２…水量バルブ
【図１】
2004183993.tif 000003
【図２】
2004183993.tif 000004